(57)【要約】【解決手段】可撓性を有する保持体１２に浄化剤１４を付着してなる浄化媒体１６と、浄化媒体１６を垂下支持すると共に移動させる回動軸１８とを備えている。浄化媒体１６は回動軸１８に支持され、その一部を汚水収容槽２０の汚水内に浸漬した状態で配設する。浄化媒体１６は、回動軸１８により、ゆっくりとした速度で移動される。浄化剤１４としては、酵素、光触媒、微量の放射線を放出し有機物を分解する物質等のいずれでも使用できる。浄化剤１４は、外気に接する面積が多いほど浄化能力が大きいので、外表面に凹凸のある担体、例えば、多孔質のセラミックボールの表面孔内に充填され、あるいは塗装された状態で使用されることが好ましい。【効果】簡易な構造で効率よく浄化を行いうる。【選択図】図１
2005305237.tif 000002
【特許請求の範囲】
【請求項１】
可撓性を有する保持体に浄化剤を付着してなる浄化媒体と、
前記浄化媒体を垂下支持すると共に、前記保持体とともに前記浄化剤を付着した位置を時間の経過とともに移動させる回動軸とを備え、
前記回動軸は、前記浄化媒体の一部を汚水収容槽の汚水に浸漬し、残部を汚水上部の空間に配設するように、当該浄化媒体を支持することを特徴とする汚水浄化装置。
【請求項２】
請求項１記載の汚水浄化装置において、
前記保持体は、透水性のシートに多数の小袋を設けたものであって、前記各小袋内に、前記浄化剤が収容されていることを特徴とする汚水浄化装置。
【請求項３】
請求項１記載の汚水浄化装置において、
前記浄化媒体は、前記保持体の外表面に浄化剤をコーティングしたものであることを特徴とする汚水浄化装置。
【請求項４】
請求項１〜３のいずれかに記載の汚水浄化装置において、
前記浄化媒体は、エンドレスベルト状とされて前記回動軸に垂下支持したものであることを特徴とする汚水浄化装置。
【請求項５】
請求項１又は３記載の汚水浄化装置において、
前記浄化媒体は、ロープ状とされて前記回動軸に、複数回ゆるく巻き付けられて垂下支持されるものであることを特徴とする汚水浄化装置。
【請求項６】
請求項１〜５のいずれかに記載の汚水浄化装置において、
前記回動軸は、その外周面が凹凸面とされていることを特徴とする汚水浄化装置。
【請求項７】
請求項１記載の汚水浄化装置において、
前記浄化媒体は円環状の保持体に前記浄化剤を付着してなることを特徴とする汚水浄化装置。
【請求項８】
請求項１又は７に記載の汚水浄化装置において、
前記浄化媒体は、複数の汚水収容槽内にそれぞれ少なくとも１つずつ配置され、同一駆動源に連結された回動軸により支持されたものであることを特徴とする汚水浄化装置。
【請求項９】
請求項１〜７のいずれかに記載の汚水浄化装置において、
前記汚水収容槽内には、汚水中に気泡を送り込む曝気手段が設けられ、
前記汚水上部の空間の空気を前記汚水収容槽外部に排出する換気手段が設けられたことを特徴とする汚水浄化装置。
【発明の詳細な説明】
【技術分野】
【０００１】
本発明は、し尿を含む排水等の汚水を、浄化剤と曝気手段とにより効率よく浄化しうる簡易な汚水浄化装置に関する。
【背景技術】
【０００２】
従来から、し尿を含む排水等の汚水を浄化槽に配置した曝気手段を使って浄化することは一般的に知られている（特許文献１参照）。また、酵素等の浄化剤で汚水を発酵分解し無臭化した処理液を再処理分解する浄化方法も知られている（特許文献２参照）。
【特許文献１】特開平８−１１７７２７号公報
【特許文献２】特開平８−１９７９５号公報
【発明の開示】
【発明が解決しようとする課題】
【０００３】
ここで、従来の汚水浄化装置には、次のような解決すべき課題があった。
特許文献１に示される浄化装置は、生ゴミ収容用の容器本体内に、攪拌翼を放射状に有する回転軸が設けられており、容器本体内に、生ゴミの分解を促進する好気性菌、嫌気性菌、通性嫌気性菌の３種の微生物と、生ゴミの分解により生じた成分を吸着する木屑とを主成分とする分解媒体を備えたものであるが、装置が大掛かりで設置が煩雑であるという課題がある。
また、従来の酵素等の浄化剤のみで汚水を浄化するものは、浄化作用が不十分であるという課題がある。
本発明は、以上の課題を解決するためになされたもので、簡易な構造で効率よく浄化を行いうる汚水浄化装置を提供することを目的とする。
【課題を解決するための手段】
【０００４】
本発明の各実施例においては、それぞれ次のような構成により上記の課題を解決する。
〈構成１〉
可撓性を有する保持体に浄化剤を付着してなる浄化媒体と、上記浄化媒体を垂下支持すると共に、上記保持体とともに上記浄化剤を付着した位置を時間の経過とともに移動させる回動軸とを備え、上記回動軸は、上記浄化媒体の一部を汚水収容槽の汚水に浸漬し、残部を汚水上部の空間に配設するように、当該浄化媒体を支持することを特徴とする汚水浄化装置。
【０００５】
可撓性を有する保持体に浄化剤を付着させたので、浄化剤を回動軸を用いて循環させることができる。浄化剤を付着した位置を時間の経過とともに移動させることで、汚水に接触している浄化剤を汚水上部の空間に引き上げたり汚水中に浸漬する動作を連続的に行うことができる。浄化媒体が汚水収容槽の汚水中を移動している間、汚水の浄化作用が行われる。また、浄化媒体の、汚水から浮上して空気中を移動している部分は、乾燥され揺動される。故に、浄化剤と保持体に付着した異物が剥離し、浄化機能を復元する。さらに、その浄化機能により、汚水収容槽上部の空気を浄化することができる。
【０００６】
〈構成２〉
構成１記載の汚水浄化装置において、上記保持体は、透水性のシートに多数の小袋を設けたものであって、上記各小袋内に、上記浄化剤が収容されていることを特徴とする汚水浄化装置。
【０００７】
多数の小袋により、固形の浄化剤がほぼ等量ずつ分割して保持される。これらの小袋が透水性シートから成ることから、汚水中に浸漬された各浄化剤を、偏りなく汚水に接触させて、浄化機能を高めることができる。
【０００８】
〈構成３〉
構成１記載の汚水浄化装置において、上記浄化媒体は、上記保持体の外表面に浄化剤をコーティングしたものであることを特徴とする汚水浄化装置。
【０００９】
浄化剤をコーティングする方法により、浄化媒体を簡易に構成することができる。
【００１０】
〈構成４〉
構成１〜３のいずれかに記載の汚水浄化装置において、上記浄化媒体は、エンドレスベルト状とされて上記回動軸に垂下支持したものであることを特徴とする汚水浄化装置。
【００１１】
エンドレスベルト状とすることによって、浄化媒体を長期間にわたって繰返し使用できる。また、交換も簡単にできる。
【００１２】
〈構成５〉
構成１又は３記載の汚水浄化装置において、上記浄化媒体は、ロープ状とされて上記回動軸に、複数回ゆるく巻き付けられて垂下支持されるものであることを特徴とする汚水浄化装置。
【００１３】
回動軸の回転方向を適時逆転することにより、浄化媒体の移動方向も反転できるから浄化媒体を往復させて繰返し使用できる。
【００１４】
〈構成６〉
構成１〜５のいずれかに記載の汚水浄化装置において、上記回動軸は、その外周面が凹凸面とされていることを特徴とする汚水浄化装置。
【００１５】
回動軸外周の凹凸面は、それに接する浄化媒体を揺動させてその表面に付着した異物を次々と剥離させる動作を促進する。また、浄化剤を付着した位置を時間の経過とともに移動させるとき、浄化媒体と回動軸との間で滑りを生じない。すなわち、空回りを防止できる。
【００１６】
〈構成７〉
構成１記載の汚水浄化装置において、上記浄化媒体は円環状の保持体に上記浄化剤を付着してなることを特徴とする汚水浄化装置。
【００１７】
浄化媒体の保持体は、円環状、円盤状、といった形状でも差し支えない。また、この場合には、複数の保持体を一括して共通の軸で回転させることも可能である。
【００１８】
〈構成８〉
構成１又は７に記載の汚水浄化装置において、上記浄化媒体は、複数の汚水収容槽内にそれぞれ少なくとも１つずつ配置され、同一駆動源に連結された回動軸により支持されたものであることを特徴とする汚水浄化装置。
【００１９】
複数の汚水収容槽の汚水浄化を、共通の駆動源で効率よく行うことができる。
【００２０】
〈構成９〉
構成１〜７のいずれかに記載の汚水浄化装置において、上記汚水収容槽内には、汚水中に気泡を送り込む曝気手段が設けられ、上記汚水上部の空間の空気を上記汚水収容槽外部に排出する換気手段が設けられたことを特徴とする汚水浄化装置。
【００２１】
浄化媒体と共に曝気手段を使用することによって、汚水の浄化が著しく促進される。曝気手段により発生した炭酸ガスは換気手段により外部に放出され、水分は汚水収容槽に蓄えられるので、臭気が発生せず汚泥として蓄積されない。
【発明を実施するための最良の形態】
【００２２】
以下、本発明の実施の形態を実施例ごとに詳細に説明する。
【実施例１】
【００２３】
図１は、実施例１の汚水浄化装置を示す説明図である。
図１において、汚水浄化装置は、可撓性を有する保持体に浄化剤を付着してなる浄化媒体１６と、この浄化媒体１６を支持すると共に移動させる回動軸１８とを備えている。浄化媒体１６は、エンドレスベルト状とされて回動軸１８に垂下支持され、その一部が汚水収容槽２０の汚水２４の水面２５下に浸漬されている。
【００２４】
汚水収容槽２０内の底面近傍に、微生物の働きにより汚水を浄化する曝気手段が設けられ、さらに、同槽２０内の上方に換気手段が設けられている。
すなわち、曝気手段は、汚水収容槽２０の底面に沿って、多数の通気孔２７を有する配管２６を配設し、汚水２４中に気泡２８を送り込み水を攪拌して槽内に生息する好気性菌を活性化することによって汚水２４を炭酸ガスと水分とに分解して浄化するものである。換気手段は、汚水収容槽２０の上部に排気ファン２３を配設する。この換気手段は、汚水上部の空間の空気を前記汚水収容槽外部に排出する。この空気は、浄化媒体で脱臭された上で外部に排出される。なお、曝気手段がなくても、例えば、浄化剤が多量にある場合や、浄化媒体上浄化剤の移動速度がある程度早い場合には、汚水中に自動的に空気を巻き込むことも可能である。
【００２５】
図２は実施例１の浄化媒体１６の具体例を示す斜視図である。
浄化媒体１６は、図２に示すように、保持体１２として、網目シートに多数の小袋１３を設けたものを使用し、各小袋１３内に浄化剤１４を収容したものである。浄化剤１４としては、例えば、酵素を付着させた多孔質のセラミックボールを使用することができる。また、酸化チタン等の光触媒を付着させたシリカゲル等を使用することができる。さらに、微弱放射線を放出する鉱石粉末等を使用することができる。微弱放射線を放出する鉱石粉末には、例えば、モザナイトを含む花崗岩等が候補として挙げられる。いずれも、汚水中の有機物を分解し汚水を浄化する機能を持つ。浄化剤１４は、外気に接する面積が多いほど浄化能力が大きいので、外表面に凹凸のある担体、例えば多孔質のセラミックボールの表面孔内に充填された状態で使用される。
【００２６】
浄化剤１４として酸化チタン等の光触媒を付着させたシリカゲル等を使用する場合は、図１に示すように、汚水収容槽２０の上部に、発光ダイオード等の紫外線照射装置３０を、浄化媒体１６に向けて配置する。
【００２７】
保持体１２を構成する網目シートとしては、例えば、汚水は通しても浄化剤１４は通さない程度の透水性のシート、例えば、細かい網目を有する不織布が用いられる。不織布は耐久性、耐食性があり、比較的安価に入手できるので、好適に用いられる。
多数の小袋１３は、例えば次のようにして形成される。すなわち、２枚の網目シートを重ね合せ、中に浄化剤１４を分散配置した状態で適当間隔を置いて熱圧着したり、縫い糸１５でキルティングのように縦横に縫い着ける。
【００２８】
このように構成された浄化媒体１６は、図３（ａ）に示すように、両端が接合されエンドレスベルト状とされて回動軸１８に垂下支持される。
回動軸１８は、その外周面が凹凸面とされ、浄化媒体１６を揺動させながら回動することが好ましい。浄化媒体１６は、回動軸１８により、ゆっくりとした速度で、浄化剤を付着した位置を時間の経過とともに移動させる。この速度は、汚水の汚染度、汚水収容槽２０の容量、その他、各種の条件により大きく異なる。例えば、１〜２時間で１回転してもよいし、適当なタイミングで間欠的に回転してもよい。例えば１日に数ｃｍ程度の速度で連続的に回転してもよい。
【００２９】
図１において、浄化媒体１６の浄化剤は、汚水収容槽２０の汚水中に浸漬されている間、汚水の浄化作用を行うが、汚水の浄化に伴ない異物が付着して浄化剤表面が次第に異物で覆われた状態となり浄化機能が低減するようになる。しかし、同浄化剤は汚水から浮上して空気中を移動するときに乾燥し揺動されることにより、その異物が次々と表面から剥離して再び汚水に入水するまでの間に浄化機能を復元する。さらに、上記の構成にすると、汚水収容槽２０上部２２の空気も浄化する。一般には、汚水浄化と脱臭処理には別々の機構を使用する。本発明では、これを一体化された機構により一括して行うという効果がある。
【００３０】
回動軸１８外周の凹凸面は、それに接する浄化媒体１６を揺動させてその表面に付着した異物を次々と剥離させる動作を促進する。回動軸１８の製造精度は要求されないから、その機能を高めるために任意の形状にすることができる。例えば、多角形にしたり、不規則な突起をつけたりすることもできる。
【００３１】
図３（ｂ）は、浄化剤の具体例を示す拡大断面図である。
同図において、セラミックボールなどからなる浄化剤４５には、多数の連続気泡４６が存在する。汚水の中で浄化処理をしているときは、この連続気泡の中に汚水が入り込み浄化剤４５と広い面積で接触する。これにより浄化剤４５による浄化機能が向上する。すなわち、汚水と浄化剤４５との接触面積が極めて大きいから、浄化作用が促進される。
【００３２】
一方、この浄化剤４５が浄化媒体４０の回転と共に、汚水の水面より上に引き上げられる。その後浄化剤４５は、乾燥させられる。このとき、連続気泡４６の内部が乾燥し、この中に空気が入り込む。浄化剤４５が浄化媒体１６の回転と共に再び汚水の中に入るとき、連続気泡４６に閉じ込められた空気が汚水の中に取り込まれる。すなわち、浄化媒体１６の回転により、浄化剤４５が極めて微小な空気の泡を汚水中に取り込むことができる。この空気の泡は、汚水中の微生物を活性化し、汚水の浄化作用を促進する。すなわち、非常に細かい汚水に溶け込みやすい泡を取り込むことができ、浄化作用がより強力に推進されるという効果がある。
【００３３】
なお、上記のような浄化媒体１６の運動、すなわち、浄化剤を付着した位置を時間の経過と共に移動させる動作は、例えば、モータなどの駆動力を利用する。この動作タイミングは、連続回転でもよいし、完結的な回転でもよい。浄化装置を例えば、トイレに使用するような場合、トイレのドアを開閉したとき、あるいは、便座を上げ下げしたときの動作をきっかけとして例えば、タイマやセンサを動作させ、一定時間回動軸４１を回転させる。こうした制御も可能である。
【実施例２】
【００３４】
図４は、実施例２の汚水浄化装置を示す説明図である。
この汚水浄化装置は、図示されるように浄化媒体３４をロープ状に構成し、このロープ状の浄化媒体３４を回動軸１８に、複数回ゆるく巻き付けて垂下支持したものである。
【００３５】
浄化媒体３４の垂下している部分は、汚水収容槽２０の汚水２４に浸漬され、回動軸１８により駆動され僅かずつ移動する。回動軸１８の回転方向を適時逆転することにより、浄化媒体１６の移動方向も反転できるから、浄化媒体１６を往復させて繰返し使用できる。なお、この実施例の場合には、例えば、浄化媒体１６に浸漬法等により光触媒をコーティングしたもの等が適する。これにより、長尺の浄化媒体１６を安価に製造できる。
【００３６】
ロープ状の浄化媒体３４は、図５（ａ）に示すように網目シートで多数の小袋１３を連結した状態に構成し、これらの各小袋１３にそれぞれ固形の浄化剤１４を収容したものである。あるいは、図５（ｂ）に示すように小袋１３を設ける代わりに、網目シートの網糸３５に浄化剤１４を塗装したもので構成されてもよい。このようにロープ状にすると、汚水収容槽の内部とその上部の空間を自由に屈曲しながら移動できる。従って、複数のローラ等を利用して、汚水中と汚水の上部の空間を偏りなく移動し、効果的に汚水処理と脱臭処理を実行することができる。
【実施例３】
【００３７】
図６は、実施例３の汚水浄化装置を示す説明図である。
この汚水浄化装置は、図示されるように浄化媒体４０を円盤状に形成したものである。すなわち、回動軸４３上に、調整輪４２を介して円環状の保持体４１が配設されている。保持体４１は、周囲に連結された小袋を備え、各小袋に固形の浄化剤１４を収容したものである。あるいは、保持体４１は小袋を設ける代わりに、外周面に浄化剤１４をコーティングしたものでもよい。
【００３８】
このような汚水浄化装置は、複数の汚水収容槽２０に対しては図７に示すように設置されてもよい。すなわち、例えば、２連に分かれた複数の汚水収容槽２０内に、複数の浄化媒体４０がそれぞれ少なくとも１つずつ配置される。各浄化媒体４０は２本の回動軸４３によりそれぞれ支持されている。回動軸４３は２本のうち、１本が駆動源４４に連結され、他の１本にベルト４５を介して連結されて連動するようにされている。
これは、複数の汚水収容槽２０に対して簡易に設置され、汚水浄化を効率よく行うことができる。なお、全く同様にして、共通の駆動源４４に連結された１本あるいは複数本の回動軸に、上記の実施例の浄化媒体を吊り下げて、一括して回転させることもできる。
【実施例４】
【００３９】
図８は、浄化媒体の変形例を示す説明図である。
この実施例の汚水浄化装置は、図８に示すように浄化媒体４０を回動軸４１を用いて吊り下げ、浄化媒体４０を矢印４９の方向に回転させる。この浄化媒体４０の外側面には、例えば、多数の繊維から構成されたブラシ４２を取り付けおく。このブラシは、浄化媒体４０の回転と共に上下に移動する。このとき、浄化槽４３の壁面にブラシ４２の先端が触れるように浄化媒体４０を配置しておく。こうすれば、ブラシ４２は、浄化槽４３の内側面をこすり、この面の汚れを落とすことができる。
【００４０】
図９は、上記のような浄化媒体を利用してトイレの水を浄化する場合の浄化槽の構造を示す。図９（ａ）は浄化槽の平面図、（ｂ）は浄化槽の横断面図である。
図９（ａ）において、この浄化槽は図の左側と右側とに分かれている。左側の３つの浄化槽５１、５２、５３は、固形分（大便等）を浄化するためのものである。右側の３つの浄化槽５４、５５、５６は、水分（小便、洗浄水等）を浄化するためのものである。
【００４１】
例えば、浄化槽５６に収容された水分は、浄化槽５４、５５を通過して十分に清浄化されたものとなる。これをポンプ５７を用いて汲み上げる。汲み上げられた水分は、図９（ｂ）に示すような便器テーパ部５８に導かれる。ここで、便器を水洗し、便器テーパ部５８に連結された筒状網部５９を通じて下方に落下する。筒状網部５９の下側には、受け皿６０が設けられている。この受け皿６０は、中央に貫通孔６１を有する円環状を呈している。固形分は、この貫通孔６１を通じて浄化槽５１に収容される。一方、水分は、便器テーパ部５８及び筒状網部５９の内壁面に沿って流れ受け皿６０で受け止められてパイプ６５を通じて直下の浄化槽５４に導かれる。こうして水分と固形分は分離される。
【００４２】
浄化槽５１に収容された固形分には、必要最小限の水分が加えられ、浄化槽５１〜５３の順に一定の時間浄化処理をされる。そして、水槽５３の内部に余分に溜まった水分は、バイパスパイプ６７を通じて浄化槽５４に導かれる。すなわち、余分な水分は、浄化槽５４に送り込まれ、浄化されて再び水洗用の水として利用される。このバイパスパイプ６７は、浄化槽５３と浄化槽５４の側面に着脱自在に取り付けられる。浄化槽５１〜５３は、一体構造とされており、メンテナンスの際には、一体に矢印６８方向に引き出され、浄化槽５４〜５６から分離される。また、浄化槽５４〜５６も一体構造とされており、矢印６９方向に一体に移動可能とされている。それぞれのメンテナンスのタイミングが異なることから着脱式のパイプ６７を用いて連結し、水分を流通している。
【００４３】
なお、各浄化槽５１〜５３及び浄化槽５４〜５６の仕切り板７１〜７４は、浄化処理の際に、順にオーバーフローした水分が隣りの水槽に流れるようにしてある。各仕切り板７１〜７４の上縁の高さは、オーバーフローする水分のレベルを決める。
しかしながら、浄化槽全体が水平の場所に配置されず、若干傾斜していると、オーバーフローすべき水分の量が不十分であることがある。すなわち、図１０にその状態を説明する。例えば、図１０（ａ）に示すように浄化槽５４が傾斜し、仕切り板７３の上縁７３ａが傾斜していたとする。このとき、内部に収容された汚水７９の水面７９ａは、水平になるから仕切り板７３の右端から水分がオーバーフローすることになる。しかしながら、これでは浄化槽全体の水分の流れが右方向に片寄る。
【００４４】
そこで、図１０（ｂ）に示すように、仕切り板７３の上縁７３ａを水平線に対して傾いた部分が含まれる構造にする。しかも、水平線に対して傾いた部分が複数、含まれる構造にする。具体的には図示のように波状にしたり、鋸歯状にする。これによって例え浄化槽５４が傾いたとしても、仕切り板７３の複数の箇所から隣りの浄化槽５５へオーバーフローした水分が流れ出る。こうして、全体として水分の流れを平均化することができる。
【００４５】
なお、どちらの方向に浄化槽が傾くかは予想することができない場合がある。そこで、例えば、図１０（ｃ）に示すように浄化槽５４〜５６の仕切り板７３、７４を水分の流れる方向、すなわち、矢印８６の方向に対して上から見て傾斜するように配置する。こうすれば、矢印８６に垂直な面内で傾いた場合であっても矢印８６に平行な面内で傾いた場合であっても、同じように仕切り板７３、７４の上縁が作用する。すなわち、いずれの場合でも複数の箇所から水分が隣りの浄化槽に流れ出るといった効果が期待できる。
【００４６】
また、例えば、図１０（ｄ）に示すように浄化槽５４〜５６の仕切り板７３、７４を水分の流れる方向、すなわち、矢印８６の方向に対して上から見てハ字状に傾斜するように配置する。こうすれば、図１０（ｃ）に示した場合と同様の効果が得られる。さらに、例えば、図１０（ｅ）に示すように、仕切り板７３、７４を浄化槽の上から見た場合に、くの字状に折り曲げたとしても同様の効果が得られる。
【図面の簡単な説明】
【００４７】
【図１】実施例１の汚水浄化装置を示す説明図である。
【図２】実施例１の浄化媒体の具体例を示す斜視図である。
【図３】同浄化媒体及び浄化剤を示す図で、（ａ）は浄化媒体の取付け状況を示す斜視図、（ｂ）は浄化剤の拡大断面図である。
【図４】実施例２の汚水浄化装置を示す説明図である。
【図５】実施例２の浄化媒体の具体例を示す図で、（ａ）は一例を示す斜視図、（ｂ）は他の例を示す拡大斜視図である。
【図６】実施例３の汚水浄化装置を示す説明図である。
【図７】同汚水浄化装置の変形例を示す説明図である。
【図８】実施例４の汚水浄化装置を示す説明図である。
【図９】浄化媒体を利用してトイレの水を浄化する場合の浄化槽を示す図で、（ａ）は平面図、（ｂ）は横断面図である。
【図１０】複数浄化槽の仕切り板と浄化槽内部に収容された汚水との各種の関係を示す説明図である。
【符号の説明】
【００４８】
１２  保持体
１３  小袋
１４  浄化剤
１５  縫い糸
１６  浄化媒体
１８  回動軸
２０  汚水収容槽
２４  汚水
２５  水面
２６  配管
２７  通気孔
２８  気泡
【図１】
2005305237.tif 000003
【図２】
2005305237.tif 000004
【図３】
2005305237.tif 000005
【図４】
2005305237.tif 000006
【図５】
2005305237.tif 000007
【図６】
2005305237.tif 000008
【図７】
2005305237.tif 000009
【図８】
2005305237.tif 000010
【図９】
2005305237.tif 000011
【図１０】
2005305237.tif 000012